(57)【要約】【課題】ＰＡＴ接続機を選択の幅が広いカメラ用三脚に容易に取り付けることのできるＰＡＴ接続機用三脚アタッチメントを提供する。【解決手段】ＰＡＴ接続機７をカメラ用三脚３に取り付けるためのＰＡＴ接続機用三脚アタッチメント１であって、アタッチメント本体２の中央にカメラ用三脚３のカメラ台４のネジに螺合するネジ穴６を設け、そのアタッチメント本体２にＰＡＴ接続機７を取り付けるための雄ネジ部材８を複数設けたものである。【選択図】図３
0003128814.tif 000002
【実用新案登録請求の範囲】
【請求項１】
ＰＡＴ接続機をカメラ用三脚に取り付けるためのＰＡＴ接続機用三脚アタッチメントであって、アタッチメント本体の中央にカメラ用三脚のカメラ台のネジに螺合するネジ穴を設け、そのアタッチメント本体にＰＡＴ接続機を取り付けるための雄ネジ部材を複数設けたことを特徴とするＰＡＴ接続機用三脚アタッチメント。
【請求項２】
上記アタッチメント本体はブロック状に形成され、上記雄ネジ部材の頭部を没入させるための頭部用凹部を有する請求項１記載のＰＡＴ接続機用三脚アタッチメント。
【請求項３】
上記雄ネジ部材の先端側にワッシャ状の抜け止め部材を取り付け、上記アタッチメント本体に上記抜け止め部材を没入させるための抜け止め部材用凹部を形成した請求項２記載のＰＡＴ接続機用三脚アタッチメント。
【請求項４】
上記アタッチメント本体には、ＰＡＴ接続機本体から突出する軸状の凸部をかわすための溝が形成される請求項１〜３いずれかに記載のＰＡＴ接続機用三脚アタッチメント。
【請求項５】
上記溝は、上記アタッチメント本体の中心に上記凸部よりも広い幅で形成される請求項４記載のＰＡＴ接続機用三脚アタッチメント。
【請求項６】
上記ネジ穴は、上記アタッチメント本体に金属製の雌ネジ部材を設けてなる請求項１〜５いずれかに記載のＰＡＴ接続機用三脚アタッチメント。
【考案の詳細な説明】
【技術分野】
【０００１】
本考案は、ＰＡＴ接続機をカメラ用三脚に取り付けるためのＰＡＴ接続機用三脚アタッチメントに関する。
【背景技術】
【０００２】
図７に示すように、ＰＡＴ接続機７は、専用の保持具（スタンド）３０に支持された状態で使用されるようになっており、保持具３０のチャック３１に把持される本体支持バー１１を有する。本体支持バー１１は、ＰＡＴ接続機本体１０の底面に４本の締結ネジ３２を介して締結されている。
【０００３】
また、保持具３０には、電柱などに取り付けられる柱上用保持具や、バケット車のバケット上に取り付けられるバケット車用保持具、地上に起立して設置される地上設置用保持具等、種々のものがあり、作業環境に応じて選択できるようになっている。
【０００４】
【特許文献１】特開２００２−３５２９３２号公報
【特許文献２】特開平９−３１２１９２号公報
【特許文献３】特開平９−１３９２７５号公報
【考案の開示】
【考案が解決しようとする課題】
【０００５】
しかしながら、保持具３０はＰＡＴ接続機７の専用品であるため選択の幅が狭く、特に地上設置用の保持具３０にあっては作業したい高さにＰＡＴ接続機７を支持できない場合があり、単に地上に設置するのみでは使用できないケースも多々あるという課題があった。また、保持具３０は比較的軽いものでも約８ｋｇと重く、扱い難いという課題があった。
【０００６】
そこで、本考案の目的は、上記課題を解決し、ＰＡＴ接続機を選択の幅が広いカメラ用三脚に容易に取り付けることのできるＰＡＴ接続機用三脚アタッチメントを提供することにある。
【課題を解決するための手段】
【０００７】
上記課題を解決するために本考案は、ＰＡＴ接続機をカメラ用三脚に取り付けるためのＰＡＴ接続機用三脚アタッチメントであって、アタッチメント本体の中央にカメラ用三脚のカメラ台のネジに螺合するネジ穴を設け、そのアタッチメント本体にＰＡＴ接続機を取り付けるための雄ネジ部材を複数設けたものである。
【０００８】
上記アタッチメント本体はブロック状に形成され、上記雄ネジ部材の頭部を没入させるための頭部用凹部を有するとよい。
【０００９】
上記雄ネジ部材の先端側にワッシャ状の抜け止め部材を取り付け、上記アタッチメント本体に上記抜け止め部材を没入させるための抜け止め部材用凹部を形成するとよい。
【００１０】
上記アタッチメント本体には、ＰＡＴ接続機本体から突出する軸状の凸部をかわすための溝が形成されるとよい。
【００１１】
上記溝は、上記アタッチメント本体の中心に上記凸部よりも広い幅で形成されるとよい。
【００１２】
上記ネジ穴は、上記アタッチメント本体に金属製の雌ネジ部材を設けてなるものとしてもよい。
【考案の効果】
【００１３】
本考案によれば、ＰＡＴ接続機をカメラ用三脚に容易に取り付けることができる。
【考案を実施するための最良の形態】
【００１４】
本考案の好適実施の形態を添付図面を用いて説明する。
【００１５】
図１、図２及び図３に示すように、ＰＡＴ接続機用三脚アタッチメント１は、アタッチメント本体２に、カメラ用三脚３のカメラ台４の固定ネジ５に螺合するネジ穴６を設けると共に、ＰＡＴ接続機７を取り付けるための雄ネジ部材８を複数設けて構成される。ネジ穴６は、アタッチメント本体２の中央に上下に貫通して形成されており、カメラ台４上にアタッチメント本体２を確実に固定できるようになっている。雄ネジ部材８は、アタッチメント本体２に上下に貫通して形成される挿通孔９に挿通して設けられるものであり、ネジ穴６の周囲を囲むように４つ設けられている。特に、４つの雄ネジ部材８は、締結ネジ３２（図７参照）を螺合すべくＰＡＴ接続機本体１０に形成された４つのネジ穴６に対応して配置されており、雄ネジ部材８をすべてＰＡＴ接続機本体１０のネジ穴６に螺合させられるようになっている。また、雄ネジ部材８は、ネジ穴６に螺合される長さが締結ネジ３２と同じとなるように締結ネジ３２よりも長く形成されている。
【００１６】
アタッチメント本体２は、軽量かつ安価なアセタール（樹脂）からなり、ブロック状に形成されている。
【００１７】
図３及び図５に示すように、アタッチメント本体２の底面には、雄ネジ部材８の頭部１３を没入させるための頭部用凹部１４が形成されており、雄ネジ部材８の頭部１３がカメラ台４に干渉しないようになっている。
【００１８】
図３及び図４に示すように、雄ネジ部材８の先端側にはワッシャ状の抜け止め部材１５が取り付けられており、アタッチメント本体２の上面には、抜け止め部材１５を没入させるための抜け止め部材用凹部１６が形成されると共に、ＰＡＴ接続機本体１０から突出する軸状の凸部１７をかわすための溝１８が形成されている。抜け止め部材１５は、ＰＡＴ接続機７からＰＡＴ接続機用三脚アタッチメント１を取り外したとき雄ネジ部材８がアタッチメント本体２から抜け落ちるのを防ぐためのものであり、可撓性を有する樹脂からなる。抜け止め部材１５は、雄ネジ部材８のネジ山間に嵌るように内径をネジ山より小さく形成されている。
【００１９】
溝１８は、アタッチメント本体２の中心に左右対称に、かつ、凸部１７よりも広い幅で形成されている。これにより、ＰＡＴ接続機本体１０にその中心から偏心する凸部１７をかわしてアタッチメント本体２を取り付けるとき、アタッチメント本体２を左右逆にしても凸部１７に干渉することなく容易に取り付けられるようになっている。
【００２０】
次に本実施の形態の作用を述べる。
【００２１】
カメラ用三脚３にＰＡＴ接続機７を取り付ける場合、ＰＡＴ接続機７から本体支持バー１１を取り外し、本体支持バー１１に代えてＰＡＴ接続機用三脚アタッチメント１をＰＡＴ接続機７に取り付けた後、カメラ用三脚３にＰＡＴ接続機用三脚アタッチメント１を取り付けることで行う。
【００２２】
具体的にはまず、ＰＡＴ接続機７から締結ネジ３２をそれぞれ取り外すことで本体支持バー１１を取り外す。
【００２３】
次に、ＰＡＴ接続機７の本体支持バー１１が取り付けられていた位置に雄ネジ部材８にてＰＡＴ接続機用三脚アタッチメント１を取り付ける。ＰＡＴ接続機７に雄ネジ部材８を締め付けることで抜け止め部材１５は雄ネジ部材８の頭部１３側に移動され、頭部１３は頭部用凹部１４内に没入される。このため、頭部１３がアタッチメント本体２の下方に突出することはない。
【００２４】
カメラ用三脚３のカメラ台４上にＰＡＴ接続機用三脚アタッチメント１を載せると共に、ＰＡＴ接続機用三脚アタッチメント１のネジ穴６にカメラ台４の固定ネジ５を螺合させ、カメラ台４上にＰＡＴ接続機用三脚アタッチメント１を締結する。このとき、雄ネジ部材８の頭部１３がカメラ台４に干渉することはないため、ＰＡＴ接続機用三脚アタッチメント１とカメラ台４は広い面で当接して安定して固定され、ＰＡＴ接続機７がカメラ用三脚３上に確実に取り付けられることとなる。
【００２５】
このように、アタッチメント本体２の中央にカメラ用三脚３のカメラ台４の固定ネジ５に螺合するネジ穴６を設け、そのアタッチメント本体２にＰＡＴ接続機７を取り付けるための雄ネジ部材８を複数設けてＰＡＴ接続機用三脚アタッチメント１を構成したため、ＰＡＴ接続機７をカメラ用三脚３に容易に取り付けることができ、ＰＡＴ接続機７を支持する手段の選択の幅を拡げることができる。特にカメラ用三脚３は多種多様のものが市販されており、軽量なものやＰＡＴ接続機７を高所に支持できるものが多数選べる。また、カメラ用三脚３は一般的にそれぞれの脚１９の長さを自在に伸縮できるため、床の凹凸に容易に対応でき、常に水平を確保することができ、安全、確実に作業を行うことができる。
【００２６】
アタッチメント本体２はブロック状に形成され、雄ネジ部材８の頭部１３を没入させるための頭部用凹部１４を有するものとしたため、カメラ台４上にＰＡＴ接続機用三脚アタッチメント１を簡易な構造で安定して固定することができる。
【００２７】
雄ネジ部材８の先端側にワッシャ状の抜け止め部材１５を取り付け、アタッチメント本体２に抜け止め部材１５を没入させるための抜け止め部材用凹部１６を形成したため、雄ネジ部材８がＰＡＴ接続機用三脚アタッチメント１から抜け落ちるのを防ぐことができ、雄ネジ部材８の紛失を防ぐことができると共に、抜け止め部材１５がＰＡＴ接続機７に干渉しないようにできる。
【００２８】
アタッチメント本体２には、ＰＡＴ接続機本体１０から突出する軸状の凸部１７をかわすための溝１８が形成されるものとしたため、ＰＡＴ接続機７にＰＡＴ接続機用三脚アタッチメント１を安定して締結することができる。
【００２９】
溝１８は、アタッチメント本体２の中心に凸部１７よりも広い幅で形成されるものとしたため、ＰＡＴ接続機７にＰＡＴ接続機用三脚アタッチメント１を取り付けるとき、偏心する凸部１７を確実に溝１８内に収容してかわすことができ、作業を容易にできる。
【００３０】
なお、アタッチメント本体２はアセタールからなるものとしたがこれに限るものではない。例えば、ナイロン等の他の樹脂や、鉄、アルミニウム等の金属からなるものであってもよく、木材からなるものであってもよい。ただし、樹脂や木材等は軽量、安価にできる反面ネジ穴６を十分な強度にするのが難しく、金属は強度を得られる反面重く高価になる。
【００３１】
ＰＡＴ接続機用三脚アタッチメント１は雄ネジ部材８を備えるものとしたが、雄ネジ部材８を備えないものとしてもよい。この場合、ＰＡＴ接続機７から外した締結ネジ３２を挿通孔９に挿通して使用するとよい。
【００３２】
また、ＰＡＴ接続機７は架空ＰＡＴ普通接続機である場合について図示説明したが、ＰＡＴ接続機７はＰＡＴ普通接続機（図示せず）であってもよい。またさらに、小型融着接続機（図示せず）等のようにＰＡＴ接続機７の本体支持バー１１と同じ取付構造の支持部を有する小型機器であれば、ＰＡＴ接続機用三脚アタッチメント１を適用でき、カメラ用三脚３に取り付けることができる。
【００３３】
また、本実施の形態でいうカメラ用三脚３とは、カメラ用の三脚と同じ固定ネジ５を有する全ての三脚を含み、ビデオカメラ用の三脚等も含む。
【００３４】
他の実施の形態について述べる。
【００３５】
図６に示すＰＡＴ接続機用三脚アタッチメント２０は、上述のＰＡＴ接続機用三脚アタッチメント１のネジ穴６に改良を加え、アタッチメント本体２を樹脂や木材等の軽量材で形成した場合にネジ穴６の強度が不足し易くなる問題を解消したものである。ネジ穴２１以外の構成は上述と同様であるため説明を省き、同符号を付す。
【００３６】
図６に示すように、ＰＡＴ接続機用三脚アタッチメント２０は、アセタールからなるアタッチメント本体２に金属製の雌ネジ部材２２を設けてネジ穴２１を形成されている。具体的には、雌ネジ部材２２は、ヘリサートからなる。ヘリサートはコイル状に形成されており、外周と内周とにそれぞれネジ部が形成されている。アタッチメント本体２にヘリサートの外径と同径のネジ穴２３を形成したのち、このネジ穴２３にヘリサートを螺合させることで容易に強固なネジ穴２１を形成できる。
【００３７】
このように、軽量材からなるアタッチメント本体２に金属製の雌ネジ部材２２を設けてネジ穴２１を形成するものとすると、ＰＡＴ接続機用三脚アタッチメント２０を軽量、安価にできると共にネジ穴２１を十分な強度にできる。
【図面の簡単な説明】
【００３８】
【図１】本考案の好適実施の形態を示すＰＡＴ接続機用三脚アタッチメントの使用状態を示す正面図である。
【図２】図１のＰＡＴ接続機用三脚アタッチメントを下方から視た斜視図である。
【図３】図１の要部側断面図である。
【図４】ＰＡＴ接続機用三脚アタッチメントを上方から視た斜視図である。
【図５】ＰＡＴ接続機用三脚アタッチメントを下方から視た斜視図である。
【図６】他の実施の形態を示すＰＡＴ接続機用三脚アタッチメントの側断面図である。
【図７】従来のＰＡＴ接続機の使用状態を示す正面図である。
【符号の説明】
【００３９】
１  ＰＡＴ接続機用三脚アタッチメント
２  アタッチメント本体
３  カメラ用三脚
４  カメラ台
５  固定ネジ（ネジ）
６  ネジ穴
７  ＰＡＴ接続機
８  雄ネジ部材
９  挿通孔
１０  ＰＡＴ接続機本体
１３  頭部
１４  頭部用凹部
１５  抜け止め部材
１６  抜け止め部材用凹部
１７  凸部
１８  溝
２０  ＰＡＴ接続機用三脚アタッチメント
２１  ネジ穴
２２  雌ネジ部材
【図１】
0003128814.tif 000003
【図２】
0003128814.tif 000004
【図３】
0003128814.tif 000005
【図４】
0003128814.tif 000006
【図５】
0003128814.tif 000007
【図６】
0003128814.tif 000008
【図７】
0003128814.tif 000009